(57)【要約】【課題】高速駆動を可能とする。【解決手段】電気光学装置は、走査線とデータ線との交差に対応して複数の画素回路を備える。ｉ行ｊ列目の画素回路Ｐｉｊにおいて、左側のデータ線１０と画素電極６１との間にはＴＦＴ５０ａおよびＴＦＴ５０ｂが設けられる。ＴＦＴ５０ａのオン・オフは当該行の走査線２０を介して供給される走査信号Ｙｉに基づいて制御され、ＴＦＴ５０ｂのオン・オフは直前の行の走査線２０を介して供給される走査信号Ｙｉ−１に基づいて制御される。これにより、１フレーム当たり２回の書き込みを実行することができる。【選択図】図３
2008165135.tif 000002
【特許請求の範囲】
【請求項１】
複数の走査線と、複数のデータ線と、前記走査線と前記データ線との交差に対応して設けられた複数の画素回路とを備える電気光学装置であって、
前記複数のデータ線の各々にデータ信号を供給し、隣接するデータ線に所定電位を基準として極性の異なるデータ信号を供給するデータ線駆動回路と、
前記複数の走査線を順次選択する走査信号を出力する走査線駆動回路とを備え、
前記複数の画素回路の各々は、
画素電極と、前記所定電位が供給される対向電極と、前記画素電極と前記対向電極との間に挟持された電気光学物質とを有する電気光学素子と、
前記データ線と前記画素電極との間に設けられた第１トランジスタおよび第２トランジスタとを備え、
前記第１トランジスタのゲート電極は当該画素回路が属する行の走査線に接続され、前記第２トランジスタのゲート電極は１フレーム期間において当該行の走査線が選択される前に選択される走査線に接続される、
電気光学装置。
【請求項２】
前記第２トランジスタのゲート電極は１フレーム期間において当該行の走査線が選択される直前に選択される走査線に接続される請求項１に記載の電気光学装置。
【請求項３】
行方向に隣接する２つの画素回路の各々は、当該画素回路を挟んで隣接する２本のデータ線のうち互いに異なるデータ線と接続されることを特徴とする請求項１または２に記載の電気光学装置。
【請求項４】
複数の走査線と、複数のデータ線と、前記走査線と前記データ線との交差に対応して設けられた複数の画素回路とを備える電気光学装置であって、
前記複数のデータ線の各々にデータ信号を供給し、隣接するデータ線に所定電位を基準として極性の異なるデータ信号を供給するデータ線駆動回路と、
前記複数の走査線を順次選択する走査信号を出力する走査線駆動回路とを備え、
前記複数の画素回路の各々は、
画素電極と、前記所定電位が供給される対向電極と、前記画素電極と前記対向電極との間に挟持された電気光学物質とを有する電気光学素子と、
前記データ線と前記画素電極との間に設けられたトランジスタとを備え、
前記走査線駆動回路は、各走査信号を複数の水平走査期間に亘って有効とし、且つ、隣接する走査線に供給する２つの走査信号が有効となる期間を１水平走査期間ずらす、
電気光学装置。
【請求項５】
請求項１乃至４のうちいずれか１項に記載の電気光学装置を備えた電子機器。
【請求項６】
複数の走査線と、複数のデータ線と、前記走査線と前記データ線との交差に対応して設けられた複数の画素回路とを有し、前記複数の画素回路の各々は、画素電極と、所定電位が供給される対向電極と、前記画素電極と前記対向電極との間に挟持された電気光学物質とを有する電気光学素子と、前記データ線と前記画素電極との間に設けられた第１トランジスタおよび第２トランジスタとを備えた電気光学装置の駆動方法であって、
前記複数のデータ線の各々にデータ信号を供給し、隣接するデータ線には前記所定電位を基準として極性の異なるデータ信号を供給し、
前記複数の走査線を順次選択する走査信号を前記複数の走査線に各々出力し、
前記複数の画素回路の各々において、当該行の走査線を介して供給される走査信号を用いて前記第１トランジスタをオン状態またはオフ状態の一方に制御し、
当該行より前に選択される行の走査線を介して供給される走査信号を用いて前記第２トランジスタをオン状態またはオフ状態の一方に制御する、
電気光学装置の駆動方法。
【請求項７】
複数の走査線と、複数のデータ線と、前記走査線と前記データ線との交差に対応して設けられた複数の画素回路とを有し、前記複数の画素回路の各々は、画素電極と、所定電位が供給される対向電極と、前記画素電極と前記対向電極との間に挟持された電気光学物質とを有する電気光学素子と、前記データ線と前記画素電極との間に設けられ、ゲート電極が前記走査線と接続されたトランジスタを備えた電気光学装置の駆動方法であって、
前記複数のデータ線の各々にデータ信号を供給し、隣接するデータ線には前記所定電位を基準として極性の異なるデータ信号を供給し、
前記複数の走査線を順次選択する走査信号を前記複数の走査線に各々出力し、各走査信号を複数の水平走査期間に亘って有効とし、且つ、隣接する走査線に供給する２つの走査信号が有効となる期間を１水平走査期間ずらす、
電気光学装置の駆動方法。
【発明の詳細な説明】
【技術分野】
【０００１】
本発明は、液晶などの電気光学物質を備えた電気光学装置、その駆動方法および電子機器に関する。
【背景技術】
【０００２】
液晶の透過率の変化により表示を行う電気光学装置は、情報処理機器やテレビジョンなどの表示装置として広く用いられている。この表示装置では、行方向に延在する走査線と、列方向に延在するデータ線との交差に対応して画素電極が形成される。また、当該交差部分にあって画素電極とデータ線との間に、走査線に供給される走査信号にしたがってオンオフする薄膜トランジスタ（以下、ＴＦＴ：Thin Film Transistorと称する。）などの画素スイッチが介挿される。さらに、液晶を介して画素電極と対向するように対向電極が設けられる。また、画素電極には保持容量が接続されるのが一般的である。
【０００３】
このような構成において、走査線にオン電圧の走査信号が印加されると、当該走査線に接続された画素スイッチがオン状態となる。このオン状態の際に、データ線に、階調（濃度）に応じたデータ信号を供給すると、当該データ信号はＴＦＴを介して画素電極に印加されるので、当該画素電極および対向電極の間に挟持された電気光学物質には、当該データ信号に応じた電圧が印加されることになる。これによって該電気光学物質は電気光学的に変化する結果、画素における透過光量、反射光量または発光量（いずれにせよ、観察者側に視認される光量）が、画素電極に印加されたデータ信号の電圧に応じたものとなる。したがって、このような制御を画素毎に実行することによって、所定の表示が可能になる。
【０００４】
液晶には、直流電圧を印加するとその組成が変化し、焼きつきなどの品質劣化を生じるといった問題がある。そこで、所定の周期で、対向電極の電位を基準として正極性の電圧と負極性の電圧とを印加する交流駆動が行われる。交流駆動の方式としては、１水平走査期間ごとに印加電圧の極性を反転するライン反転の他に、上下左右隣り合う画素全てに逆の極性が印加されるドット反転が知られている。ドット反転の駆動方法では、液晶の劣化を抑制しつつフリッカを低減することができる。その一方、ドット反転の駆動方法では１水平走査期間ごとに液晶に印加する電圧の極性を反転するため、データ信号の極性を１水平走査期間ごとに反転する必要がある。データ信号はデータ線を介して画素回路に供給されるが、データ線には寄生容量が付随するため、データ信号を供給するには容量性の負荷を駆動する必要がある。このため、１水平走査期間ごとにデータ信号の極性を反転すると、消費電力が増大する。
【０００５】
この点を解消するため、特許文献１には、隣接するデータ線のうち一方のデータ線と画素電極との間に第１のスイッチング素子を設け、他方のデータ線と画素電極との間に第２のスイッチング素子を設けた画素回路と、１行当たり２本の走査線が配置された液晶装置が開示されている。この液晶装置において、一方のデータ線と他方のデータ線とには極性の異なるデータ信号が各々供給される。そして、１行当たり２本設けられた走査線を介して供給される走査信号に基づいて、第１および第２のスイッチング素子のオン・オフを制御することによって、ドット反転駆動を行う。１フレーム期間中、各データ線に供給されるデータ信号の極性は一定であるので、消費電力を削減することができる。
【特許文献１】特開２００２−２３７０９号公報
【発明の開示】
【発明が解決しようとする課題】
【０００６】
しかしながら、従来の技術では、１行当たり２本の走査線を必要とするので、開口率が低下するといった問題がある。また、高精細な画像を表示するためには、各走査線を選択する期間を短くする必要があるが、短い期間ではデータ信号を液晶素子に十分書き込むことができないといった問題がある。
【０００７】
本発明は、このような事情に鑑みてなされたものであり、ドット反転の駆動方法において、消費電力を削減すると共に高速駆動が可能な電気光学装置、その駆動方法および電子機器を提供することを解決課題とする。
【課題を解決するための手段】
【０００８】
上述した課題を解決するため、本発明に係る電気光学装置は、複数の走査線と、複数のデータ線と、前記走査線と前記データ線との交差に対応して設けられた複数の画素回路とを備えるものであって、前記複数のデータ線の各々にデータ信号を供給し、隣接するデータ線に所定電位を基準として極性の異なるデータ信号を供給するデータ線駆動回路と、前記複数の走査線を順次選択する走査信号を出力する走査線駆動回路とを備え、前記複数の画素回路の各々は、画素電極と、前記所定電位が供給される対向電極と、前記画素電極と前記対向電極との間に挟持された電気光学物質とを有する電気光学素子と、前記データ線と前記画素電極との間に設けられた第１トランジスタおよび第２トランジスタとを備え、前記第１トランジスタのゲート電極は当該画素回路が属する行の走査線に接続され、前記第２トランジスタのゲート電極は１フレーム期間において当該行の走査線が選択される前に選択される走査線に接続されることを特徴とする。
【０００９】
この発明によれば、画素回路に隣接する２本のデータ線には異なる極性のデータ信号が供給されるが、フレーム期間内において各データ線に供給するデータ信号の極性を一定とするので、消費電力を削減することができる。さらに、第１トランジスタは当該行の走査線が選択されるとオン状態となってデータ信号を書き込むが、第２トランジスタのゲート電極は１フレーム期間において当該行の走査線が選択される前に選択される走査線に接続される。したがって、１フレーム当たり２回の書き込みが実行される。ここで、第１トランジシタと第２トランジスタとは同じデータ線に接続されるので、２回の書き込みで書き込まれるデータ信号を同一の極性とすることができる。この結果、本来のデータ信号を書き込む水平走査期間より前の水平走査期間をプリチャージの期間として作用させることができ、これによって、水平走査期間を短く設定してデータ信号を正確に書き込むことが可能となる。
【００１０】
上述した電気光学装置の好ましい態様としては、前記第２トランジスタのゲート電極は１フレーム期間において当該行の走査線が選択される直前に選択される走査線に接続される。この場合には、本来、書き込むべきデータ信号と殆ど変わらないデータ信号を直前の水平走査期間に書き込むことができるので、より一層、正確にデータ信号を書き込むことが可能となる。
【００１１】
さらに、上述した電気光学装置は、行方向に隣接する２つの画素回路の各々は、当該画素回路を挟んで隣接する２本のデータ線のうち互いに異なるデータ線と接続されることが好ましい。この場合には、隣接する行で画素回路に書き込むデータ信号の極性を反転させることができるので、ドット反転駆動が可能となる。
【００１２】
次に、本発明に係る別の電気光学装置は、複数の走査線と、複数のデータ線と、前記走査線と前記データ線との交差に対応して設けられた複数の画素回路とを備えるものであって、前記複数のデータ線の各々にデータ信号を供給し、隣接するデータ線に所定電位を基準として極性の異なるデータ信号を供給するデータ線駆動回路と、前記複数の走査線を順次選択する走査信号を出力する走査線駆動回路とを備え、前記複数の画素回路の各々は、画素電極と、前記所定電位が供給される対向電極と、前記画素電極と前記対向電極との間に挟持された電気光学物質とを有する電気光学素子と、前記データ線と前記画素電極との間に設けられたトランジスタとを備え、前記走査線駆動回路は、各走査信号を複数の水平走査期間に亘って有効とし、且つ、隣接する走査線に供給する２つの走査信号が有効となる期間を１水平走査期間ずらすことを特徴とする。
【００１３】
この発明によれば、走査信号は、２つの水平走査期間において有効となるので、後半の水平走査期間の書き込みによって、電気光学素子に印加される電圧が決定される。そして、前半の水平走査期間では１行前のデータ信号が画素回路に書き込まれる。画像の垂直相関性は高いので、前半の水平走査期間はプリチャージ期間として作用する。これによって、水平走査期間を短く設定してデータ信号を正確に書き込むことが可能となる。
【００１４】
次に、本発明に係る電子機器は、上述した電気光学装置を備える。このような電子機器としては、例えば、携帯情報端末、携帯電話機、ノート型コンピュータ、ビデオカメラ、およびプロジェクタなどが該当する。
【００１５】
また、上述した電気光学装置は、その駆動方法として捉えることもできる。複数の走査線と、複数のデータ線と、前記走査線と前記データ線との交差に対応して設けられた複数の画素回路とを有し、前記複数の画素回路の各々は、画素電極と、所定電位が供給される対向電極と、前記画素電極と前記対向電極との間に挟持された電気光学物質とを有する電気光学素子と、前記データ線と前記画素電極との間に設けられた第１トランジスタおよび第２トランジスタとを備えた電気光学装置の駆動する方法であって、前記複数のデータ線の各々にデータ信号を供給し、隣接するデータ線には前記所定電位を基準として極性の異なるデータ信号を供給し、前記複数の走査線を順次選択する走査信号を前記複数の走査線に各々出力し、前記複数の画素回路の各々において、当該行の走査線を介して供給される走査信号を用いて前記第１トランジスタをオン状態またはオフ状態の一方に制御し、当該行より前に選択される行の走査線を介して供給される走査信号を用いて前記第２トランジスタをオン状態またはオフ状態の一方に制御する。この駆動方法によっても上述した電気光学装置と同様に、２回の書き込みで書き込まれるデータ信号を同一の極性とすることができる。この結果、本来のデータ信号を書き込む水平走査期間より前の水平走査期間をプリチャージの期間として作用させることができ、これによって、水平走査期間を短く設定してデータ信号を正確に書き込むことが可能となる。
【００１６】
また、本発明に係る他の駆動方法は、複数の走査線と、複数のデータ線と、前記走査線と前記データ線との交差に対応して設けられた複数の画素回路とを有し、前記複数の画素回路の各々は、画素電極と、所定電位が供給される対向電極と、前記画素電極と前記対向電極との間に挟持された電気光学物質とを有する電気光学素子と、前記データ線と前記画素電極との間に設けられ、ゲート電極が前記走査線と接続されたトランジスタを備えた電気光学装置を駆動する方法であって、前記複数のデータ線の各々にデータ信号を供給し、隣接するデータ線には前記所定電位を基準として極性の異なるデータ信号を供給し、前記複数の走査線を順次選択する走査信号を前記複数の走査線に各々出力し、各走査信号を複数の水平走査期間に亘って有効とし、且つ、隣接する走査線に供給する２つの走査信号が有効となる期間を１水平走査期間ずらす。この駆動方法によっても上述した電気光学装置と同様に、前半の水平走査期間では１行前のデータ信号が画素回路に書き込まれるが、画像の垂直相関性は高いので、前半の水平走査期間はプリチャージ期間として作用する。したがって、水平走査期間を短く設定してデータ信号を正確に書き込むことが可能となる。
なお、上述した発明において電気光学物質とは、電気的なエネルギーによって光学特性が変化する物質の意味であり、例えば、印加電圧に応じて透過率が変化する液晶が該当する。
【発明を実施するための最良の形態】
【００１７】
＜１．第１実施形態＞
図１に第１実施形態に係る電気光学装置のブロック図を示す。この電気光学装置５００は電気光学材料として液晶を用いる。電気光学装置５００は、主要部として液晶パネルＡＡを備える。液晶パネルＡＡは、スイッチング素子としてＴＦＴを形成した素子基板と対向基板とを互いに電極形成面を対向させて、かつ、一定の間隙を保って貼付し、この間隙に液晶が挟持されている。
【００１８】
また、電気光学装置５００は、液晶パネルＡＡ、タイミング発生回路３００および画像処理回路４００を備える。液晶パネルＡＡの素子基板上には、画像表示領域Ａ、走査線駆動回路１００およびデータ線駆動回路２００が形成されている。この電気光学装置５００に供給される入力画像データＤｉｎは、例えば、２４ビットパラレルの形式である。タイミング発生回路３００は、画像処理回路４００から供給される水平走査信号や垂直走査信号などの制御信号に同期して、Ｙクロック信号ＹＣＫ、Ｘクロック信号ＸＣＫ、Ｙ転送開始パルスＤＹ、およびＸ転送開始パルスＤＸを生成して、走査線駆動回路１００およびデータ線駆動回路２００に供給する。また、タイミング発生回路３００は、画像処理回路４００を制御する各種のタイミング信号を生成し、これを出力する。
【００１９】
ここで、Ｙクロック信号ＹＣＫは、走査線２０を選択する期間を特定し、Ｘクロック信号ＸＣＫは、データ線１０を選択する期間を特定する。また、Ｙ転送開始パルスＤＹは走査線２０の選択開始を指示するパルスであり、一方、Ｘ転送開始パルスＤＸはデータ線１０の選択開始を指示するパルスである。
次に、画像処理回路４００は、入力画像データＤｉｎに、液晶パネルの光透過特性を考慮したガンマ補正等を施した後、ＲＧＢ各色の画像データをＤ／Ａ変換して、画像信号ＶＩＤを生成して液晶パネルＡＡに供給する。
【００２０】
図２に画像表示領域Ａの詳細な構成を示す。画像表示領域Ａには、ｍ＋１（ｍは２以上の自然数）本の走査線２０および２０Ｙが、Ｘ方向に沿って平行に配列して形成される一方、ｎ＋１（ｎは２以上の自然数）本のデータ線１０が、Ｙ方向に沿って平行に配列して形成されている。そして、データ線１０と走査線２０との交差に対応してｍ×ｎ個の画素回路Ｐ（Ｐ１１〜Ｐｍｎ）が配列される。
【００２１】
図３（Ａ）に画素回路Ｐｉｊを示し、図３（Ｂ）に画素回路Ｐｉ＋１ｊの回路図を示す。但し、ｉはｍ以下の奇数であり、ｊは１≦ｊ≦ｎの自然数である。同図に示すように画素回路Ｐは、液晶素子６０、ＴＦＴ５０ａおよびＴＦＴ５０ｂを備える。液晶素子６０は画素電極６１と対向電極６２との間に液晶を挟持して構成される。対向電極６２には共通電位Ｖcomが供給される。
【００２２】
奇数行の画素回路Ｐｉｊにおいて、ＴＦＴ５０ａのゲート電極は第ｉ行の走査線２０に電気的に接続され、ＴＦＴ５０ｂのゲート電極は第ｉ−１行の走査線２０に電気的に接続される。一方、偶数行の画素回路Ｐｉ＋１ｊにおいて、ＴＦＴ５０ａのゲート電極は第ｉ＋１行の走査線２０に電気的に接続され、ＴＦＴ５０ｂのゲート電極は第ｉ行の走査線２０に電気的に接続される。また、奇数行の画素回路Ｐｉｊにおいて、ＴＦＴ５０ａおよびＴＦＴ５０ｂは画素電極６１と左側のデータ線１０との間に設けられ、偶数行の画素回路Ｐｉ＋１ｊにおいて、ＴＦＴ５０ａおよびＴＦＴ５０ｂは画素電極６１と右側のデータ線１０との間に設けられる。
換言すれば、全ての画素回路Ｐにおいて、ゲート電極が当該行の走査線と接続される第１トランジスタ（例えばＴＦＴ５０ａ）と、ゲート電極が１行前の走査線と接続される第２トランジスタ（例えばＴＦＴ５０ｂ）とは、隣接するデータ線の一方に共に接続される。また、行方向に隣接する画素回路Ｐでは接続されるデータ線が相違する。
【００２３】
図１に示すデータ線駆動回路２００は、データ信号Ｘ１〜Ｘｎ+1をｎ＋１本のデータ線１０に出力する。信号の極性を対向電極６２の共通電位Ｖcomを基準として高電位を正極性、低電位を負極性と定めると、あるフレーム期間において奇数番目のデータ信号Ｘ１、Ｘ３、…Ｘｎ+1は正極性の信号であり、偶数番目のデータ信号Ｘ２、Ｘ４、…Ｘｎは負極性の信号である。また、次のフレーム期間において奇数番目のデータ信号Ｘ１、Ｘ３、…Ｘｎ+1は負極性の信号であり、偶数番目のデータ信号Ｘ２、Ｘ４、…Ｘｎは正極性の信号である。つまり、隣接するデータ線１０の電位は共通電位Ｖcomを基準として極性が反転しており、さらにフレーム間で極性が反転している。
【００２４】
また、各走査線２０Ｙおよび２０には、走査線駆動回路１００から、走査信号Ｙ０、Ｙ１、…、Ｙｍが、パルス的に順次に印加されるようになっている。このため、ある走査線２０に走査信号が供給されると、当該行の画素回路においてＴＦＴ５０ａおよびＴＦＴ５０ｂの一方がオン状態となると共に、１行前の画素回路においてＴＦＴ５０ａおよびＴＦＴ５０ｂの他方がオン状態となる。これによって、データ線２０を介して供給されるデータ信号が液晶素子６０に書き込まれる。
【００２５】
各画素に印加される電圧レベルに応じて液晶分子の配向や秩序が変化するので、光変調による階調表示が可能となる。例えば、液晶を通過する光量は、ノーマリーホワイトモードであれば、印加電圧が高くなるにつれて制限される一方、ノーマリーブラックモードであれば、印加電圧が高くなるにつれて緩和されるので、電気光学装置５００全体では、画像信号に応じたコントラストを持つ光が各画素毎に出射される。このため、所定の表示が可能となる。なお、保持された画像信号がリークするのを防ぐために、保持容量を画素電極６１と対向電極６２との間に形成される液晶容量と並列に付加してもよい。
【００２６】
次に、図４を参照して、電気光学装置の動作を説明する。まず、データ線１０に供給されるデータ信号Ｘ１,Ｘ３…Ｘn+1は、第１フレームＦ１において正極性となる一方、第２フレームＦ２において負極性になる。また、データ信号Ｘ２,Ｘ４,…Ｘｎは、第１フレームＦ１において負極性となる一方、第２フレームＦ２において正極性になる。
【００２７】
第１フレームＦ１において、走査信号Ｙ０〜Ｙｍが順次排他的にハイレベルになると、各画素回路Ｐにデータ信号が書き込まれる。本実施形態の画素回路ＰはＴＦＴ５０ａとＴＦＴ５０ｂとを備える。このため、１フレームに２回、データ信号が各画素回路Ｐに書き込まれる。例えば、画素回路Ｐ２１に着目すると、水平走査期間Ｈ１と水平走査期間Ｈ２で書き込みが実行される。第１フレームが終了した時点では、図５に示す極性の電圧が液晶素子６０に印加される。第２フレームでは、データ信号の極性が反転するので、各画素回路Ｐに保持される電圧の極性が反転する。このようにしてドット反転駆動を行うことができる。
【００２８】
ところで、データ線１０には寄生容量が付随するため、データ線駆動回路２００から見たデータ線１０は容量性の負荷となる。本実施形態では、１フレーム期間内で各データ線１０に供給するデータ信号の極性を同一としたので、電圧振幅を小さくすることができる。この結果、容量性の負荷であるデータ線１０を高速に駆動することができ、フレームレートを上昇させて高精細な画像を表示することが可能となる。
さらに、従来の電気光学装置では、１行当たり２本の走査線２０を用いて各画素回路Ｐを選択したが、本実施形態では１本の走査線１０Ｙを追加するだけで、ドット反転駆動を実現することができる。このため、従来の電気光学装置と比較して、開口率が向上する。これにより、バックライトの光量を有効に表示に利用できるので、表示輝度向上や低消費電力化を図ることが可能となる。
【００２９】
くわえて、ｉ行に属する画素回路Ｐは、１本前の走査線を介して供給される走査信号Ｙi-1によって最初の書き込みが実行され、ｉ行の走査線を介して供給される走査信号Ｙiによって２回目の書き込みが実行される。このように２度の書き込みによって、より一層の高速化を図ることができる。この点について具体的に説明する。３行１列目の画素回路Ｐ３１に着目する。図４に示すように水平走査期間Ｈ２において走査信号Ｙ２がハイレベルになると、ＴＦＴ５０ｂがオン状態となる。このとき第１番目のデータ線１０を介してデータ信号Ｘ１[2]が書き込まれる。次に、水平走査期間Ｈ３ではＴＦＴ５０ａがオン状態となり、第１番目のデータ線１０を介してデータ信号Ｘ１[3]が書き込まれる。同一フレームにおいて同一のデータ線１０には、同極性のデータ信号が供給される。しかも、画像の垂直相関性は高いので、水平走査期間Ｈ２のデータ信号Ｘ１[2]の電位と水平走査期間Ｈ３のデータ信号Ｘ１[3]の電位については、殆ど一致する場合が多い。したがって、水平走査期間Ｈ２において液晶素子６０には、本来、書き込むべきデータ信号Ｘ１[3]と近似したデータ信号Ｘ１[2]の電位が書き込まれる。これにより、水平走査期間Ｈ３の開始時には、液晶素子６０の電位をデータ信号Ｘ１[3]と近似した電位とすることができる。よって、水平走査期間Ｈ３においてデータ信号Ｘ１[3]を正確に液晶素子６０に書き込むことができる。換言すれば、本来のデータ信号を書き込む水平走査期間の１つ前の水平走査期間をプリチャージの期間として作用させることができ、これによって、水平走査期間を短く設定してデータ信号を正確に書き込むことが可能となる。
【００３０】
なお、上述した実施形態では、ある行の画素回路Ｐにおいて、当該行の走査線２０の走査信号の他に直前に選択される走査線２０に供給される走査信号を用いてＴＦＴ５０ｂを制御したが、本発明はこれに限定されるものではなく、ＴＦＴ５０ｂのゲート電極を当該行が選択される前に選択される走査線２０（例えば、２本前）に接続してもよい。すなわち、ＴＦＴ５０ｂのゲート電極を１フレーム期間において当該行の走査線が選択されるｋ（ｋは自然数）本前に選択される走査線に接続し、走査線の本数をｍ＋ｋとすればよい。
但し、ｋ＝１とすると、本来の階調を指示するデータ信号を書き込むまでの時間を最も短くすることができるので、階調を正確に表示することが可能となる。
【００３１】
また、上述した実施形態では、ドット反転駆動を一例として説明したが、駆動方法はライン反転駆動であってもよい。
また、上述した実施形態の電気光学装置５００は、電気光学物質に液晶を用いた液晶表示装置であり、この液晶表示装置は、透過型、反射型または半透過半反射型のいずれにも適用可能である。
【００３２】
＜２．第２実施形態＞
第２実施形態に係る電気光学装置は、走査線の本数をｍ本とした点、走査信号Ｙ１〜Ｙｍが２倍の水平走査期間で有効となる点、および画素回路Ｐの詳細な構成を除いて、図１に示す第１実施形態の電気光学装置と同様に構成されている。
図６に第２実施形態に係る電気光学装置おける画像表示領域Ａの詳細な構成を示す。この図に示すように画像表示領域Ａには、ｍ本の走査線２０とｎ＋１本のデータ線１０が形成される。そして走査線２０とデータ線１０との交差に対応してｍ行ｎ列の画素回路Ｐ１１〜Ｐｍｎが形成される。画素回路Ｐは、ＴＦＴ５０と液晶素子６０とを備える。
【００３３】
次に、図７を参照して、電気光学装置の動作を説明する。まず、データ線１０に供給されるデータ信号Ｘ１,Ｘ３…Ｘn+1は、第１フレームＦ１において正極性となる一方、第２フレームＦ２において負極性になる。また、データ信号Ｘ２,Ｘ４,…Ｘｎは、第１フレームＦ１において負極性となる一方、第２フレームＦ２において正極性になる。
第１フレームＦ１において、走査信号Ｙ１〜Ｙｍが順次ハイレベルになると、各画素回路Ｐにデータ信号が書き込まれる。隣接する走査線２０に供給される２つの走査信号は、ハイレベルとなる期間が１水平走査期間だけ重複する。例えば、走査信号Ｙ１と走査信号Ｙ２とは共に水平走査期間Ｈ１においてハイレベルとなる。
【００３４】
ここで、３行１列目の画素回路Ｐ３１に着目する。図７に示すように水平走査期間Ｈ２において走査信号Ｙ３がハイレベルになると、ＴＦＴ５０がオン状態となる。このとき第１番目のデータ線１０を介してデータ信号Ｘ１[2]が書き込まれる。また、当該期間Ｈ２においては走査信号Ｙ２もハイレベルになるので、データ信号が２行１列目の画素回路Ｐ２１に書き込まれる。次に、水平走査期間Ｈ３では走査信号Ｙ２がローレベルとなるので、画素回路Ｐ２１では水平走査期間Ｈ２で書き込まれたデータ信号が保持される。一方、画素回路Ｐ３１では走査信号Ｙ３がハイレベルとなっているので、データ信号Ｘ１[3]が書き込まれる。同一フレームにおいて同一のデータ線１０には、同極性のデータ信号が供給される。しかも、画像の垂直相関性は高いので、水平走査期間Ｈ２のデータ信号Ｘ１[2]の電位と水平走査期間Ｈ３のデータ信号Ｘ１[3]の電位については、殆ど一致する場合が多い。したがって、水平走査期間Ｈ２において液晶素子６０には、本来、書き込むべきデータ信号Ｘ１[3]と近似したデータ信号Ｘ１[2]の電位が書き込まれる。これにより、水平走査期間Ｈ３の開始時には、液晶素子６０の電位が既にデータ信号Ｘ１[3]と近似した電位とすることができる。よって、水平走査期間Ｈ３においてデータ信号Ｘ１[3]を正確に液晶素子６０に書き込むことができる。換言すれば、走査信号Ｙ１〜Ｙｍを本来のデータ信号を書き込む水平走査期間の１つ前の水平走査期間から有効とし、ハイレベルとなる期間の前半をプリチャージの期間として作用させることができる。これによって、水平走査期間を短く設定してデータ信号を正確に書き込むことが可能となる。
【００３５】
従来の電気光学装置では、１行当たり２本の走査線２０を用いて各画素回路Ｐを選択したが、本実施形態では１行当たり１本の走査線２０を用いて各画素回路Ｐを選択することができる。このため、従来の電気光学装置と比較して、開口率が向上する。これにより、バックライトの光量を有効に表示に利用できるので、表示輝度向上や低消費電力化を図ることが可能となる。
くわえて、各画素回路Ｐは、２水平走査期間に亘ってデータ信号の書き込みが実行されるが、その前半では、本来のデータ信号が供給される後半とほぼ同じレベルのデータ信号が供給されるので、２度の書き込みによって、より一層の高速化を図ることができる。
【００３６】
なお、本実施形態では、各走査信号は２つの水平走査期間に亘って有効となり、隣接する走査線に供給される２つの走査信号が有効となる期間は１水平走査期間ずれていたが、各走査信号は３つ以上の水平走査期間に亘って有効となり、隣接する走査線に供給される２つの走査信号が有効となる期間を１水平走査期間ずらしてもよい。この場合には、プリチャージ期間を２つ以上の水平走査期間に割り当てることができる。この結果、さらに高速駆動が可能となる。但し、プリチャージ期間が長いと、当該期間において本来の表示すべき輝度と異なる輝度が表示されるため、各走査信号をどれだけの水平走査期間に亘って有効とするかは、高速駆動と表示輝度の精度との兼ね合いによって決定すればよい。
また、本実施形態では、ドット反転駆動を一例として説明したが、第１実施形態と同様に駆動方法はライン反転駆動であってもよい。また、本実施形態の電気光学装置は、電気光学物質に液晶を用いた液晶表示装置であり、この液晶表示装置は、透過型、反射型または半透過半反射型のいずれにも適用可能である。
【００３７】
＜３．電子機器＞
次に、本発明に係る電気光学装置５００を利用した電子機器について説明する。図８は、以上に説明した何れかの形態に係る電気光学装置５００を表示装置として採用したモバイル型のパーソナルコンピュータの構成を示す斜視図である。パーソナルコンピュータ２０００は、表示装置としての電気光学装置５００と本体部２０１０とを備える。本体部２０１０には、電源スイッチ２００１およびキーボード２００２が設けられている。この電気光学装置５００は消費電力を低減することができるので、バッテリーの駆動においても連続使用時間を伸ばすことが可能となる。
【００３８】
図９に、実施形態に係る電気光学装置５００を適用した携帯電話機の構成を示す。携帯電話機３０００は、複数の操作ボタン３００１およびスクロールボタン３００２、ならびに表示装置としての電気光学装置５００を備える。スクロールボタン３００２を操作することによって、電気光学装置５００に表示される画面がスクロールされる。
【００３９】
図１０に、実施形態に係る電気光学装置５００を適用した携帯情報端末（ＰＤＡ：Personal Digital Assistants）の構成を示す。情報携帯端末４０００は、複数の操作ボタン４００１および電源スイッチ４００２、ならびに表示装置としての電気光学装置５００を備える。電源スイッチ４００２を操作すると、住所録やスケジュール帳といった各種の情報が電気光学装置５００に表示される。
【００４０】
なお、本発明に係る電気光学装置が適用される電子機器としては、図８から図１０に示したもののほか、プロジェクタ、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００４１】
【図１】本発明の実施形態に係る電気光学装置のブロック図である。
【図２】同装置の画像表示領域の詳細な構成を示すブロック図である。
【図３】同装置に用いる画素回路の回路図である。
【図４】同装置の動作を示すタイミングチャートである。
【図５】変形例に係る電気光学装置の動作を示すタイミングチャートである。
【図６】電子機器の一例たるパーソナルコンピュータの斜視図である。
【図７】電子機器の一例たる携帯電話機の斜視図である。
【図８】電子機器の一例たる携帯情報端末の斜視図である。
【図９】従来の液晶装置の所要部を示すブロック図である。
【図１０】従来の液晶装置におけるリーク電流の問題点を説明するための説明図である。
【符号の説明】
【００４２】
１０……データ線、２０、２０Ｙ……走査線（第１走査線、第２走査線）、５０ａ、５０ｂ……ＴＦＴ（第１トランジスタ、第２トランジスタ）、６０……液晶素子、６１……画素電極、６２……対向電極、Ｖcom……共通電位（所定電位）、１００……走査線駆動回路、２００……データ線駆動回路、５００……電気光学装置、Ｘ１〜Ｘｎ+1……データ信号、Ｙ０〜Ｙｍ……走査信号、Ｐ１１〜Ｐｍｎ……画素回路。
【図１】
2008165135.tif 000003
【図２】
2008165135.tif 000004
【図３】
2008165135.tif 000005
【図４】
2008165135.tif 000006
【図５】
2008165135.tif 000007
【図６】
2008165135.tif 000008
【図７】
2008165135.tif 000009
【図８】
2008165135.tif 000010
【図９】
2008165135.tif 000011
【図１０】
2008165135.tif 000012